(57)【要約】【課題】ユーザが容易かつ確実にプログラムを取得でき、かつ、インストールすることが可能なシステムを提供すること。【解決手段】  所定のプログラムを特定する識別情報が記憶された識別情報保持手段と、この識別情報保持手段から識別情報を取得する携帯端末と、識別情報に対応するプログラムを記憶したプログラム管理サーバへのアドレスデータを記憶したアドレス管理サーバと、を備え、携帯端末が、アドレス管理サーバにアクセスして識別情報保持手段から取得した識別情報を送信すると共に、当該アドレス管理サーバを介して識別情報に対応するプログラムを記憶したプログラム管理サーバにアクセスし、当該プログラム管理サーバからプログラムを取得して、当該プログラムを自己の携帯端末にインストールする機能を有する。【選択図】図１
2006243961.tif 000002
【特許請求の範囲】
【請求項１】
携帯端末に所定のプログラムをインストールするシステムであって、
所定のプログラムを特定する識別情報が記憶された識別情報保持手段と、この識別情報保持手段から前記識別情報を取得する携帯端末と、前記識別情報に対応する前記プログラムを記憶したプログラム管理サーバへのアドレスデータを記憶したアドレス管理サーバと、を備え、
前記携帯端末が、前記アドレス管理サーバにアクセスして前記識別情報保持手段から取得した識別情報を送信すると共に、当該アドレス管理サーバを介して前記識別情報に対応する前記プログラムを記憶した前記プログラム管理サーバにアクセスし、当該プログラム管理サーバから前記プログラムを取得して、当該プログラムを自己の携帯端末にインストールする機能を有する、
ことを特徴とするプログラムインストールシステム。
【請求項２】
前記識別情報保持手段は、前記識別情報を近距離無線通にて送信可能な送信手段であり、
前記アドレス管理サーバが、前記携帯端末から送信された前記識別情報に対応する前記プログラム管理サーバへのアドレスデータを前記携帯端末に返送するアドレスデータ送信手段を備えると共に、
前記携帯端末が、前記送信手段から送信された前記識別情報を受信する識別情報取得手段と、予め記憶された前記アドレス管理サーバのアドレスに基づいて当該アドレス管理サーバにアクセスして前記取得した識別情報を送信し当該識別情報に対応する前記プログラムを記憶した前記プログラム管理サーバへのアドレスデータを取得するアドレスデータ取得手段と、この取得したアドレスデータに基づいて前記プログラム管理サーバにアクセスして前記プログラムを取得して記憶するプログラム取得手段と、この記憶したプログラムを携帯端末に組み込むインストール手段と、を備えたことを特徴とする請求項１記載のプログラムインストールシステム。
【請求項３】
前記識別情報保持手段は、前記識別情報を近距離無線通にて送信可能な送信手段であり、
前記アドレス管理サーバが、前記携帯端末から送信された前記識別情報に対応する前記プログラム管理サーバへのアドレスデータに基づいて当該アクセスしてきた携帯端末と前記プログラム管理サーバとを接続する接続手段を備えると共に、
前記携帯端末が、前記送信手段から送信された前記識別情報を受信する識別情報取得手段と、予め記憶された前記アドレス管理サーバのアドレスに基づいて当該アドレス管理サーバにアクセスして前記取得した識別情報に対応する前記プログラムを記憶した前記プログラム管理サーバへのアドレスデータに基づく接続要求を行う接続要求手段と、この要求に応じて前記アドレス管理サーバを介して接続された前記プログラム管理サーバから前記プログラムを取得して記憶するプログラム取得手段と、この記憶したプログラムを携帯端末に組み込むインストール手段と、を備えたことを特徴とする請求項１記載のプログラムインストールシステム。
【請求項４】
前記携帯端末は、前記アドレス管理サーバ及びプログラム管理サーバに、広域無線通信を用いて接続する、ことを特徴とする請求項２又は３記載のプログラムインストールシステム。
【請求項５】
前記携帯端末は、少なくとも前記アドレス管理サーバに、前記近距離無線通信を用いてアクセスする、ことを特徴とする請求項２又は３記載のプログラムインストールシステム。
【請求項６】
前記送信手段は、ＩＣタグである、ことを特徴とする請求項２，３，４又は５記載のプログラムインストールシステム。
【請求項７】
前記携帯端末が、他の携帯端末からの要求に応じて前記識別情報を送信する識別情報送信手段を備えた、ことを特徴とする請求項２，３，４，５又は６記載のプログラムインストールシステム。
【請求項８】
前記携帯端末が、他の携帯端末からの要求に応じて前記プログラムを送信するプログラム送信手段を備えた、ことを特徴とする請求項２，３，４，５又は６記載のプログラムインストールシステム。
【請求項９】
前記携帯端末が、前記近距離無線通信を用いて前記他の携帯端末と通信を行う、ことを特徴とする請求項７又は８記載のプログラムインストールシステム。
【請求項１０】
所定のプログラムがインストールされる携帯端末であって、
前記プログラムを特定する識別情報が記憶され当該識別情報を近距離無線通信にて送信可能な送信手段から送信された前記識別情報を受信する識別情報受信手段と、予め記憶されたアドレス管理サーバのアドレスに基づいて当該アドレス管理サーバにアクセスして前記取得した識別情報を送信し当該アドレス管理サーバに記憶された前記識別情報に対応する前記プログラムを記憶したプログラム管理サーバへのアドレスデータを取得するアドレスデータ取得手段と、この取得したアドレスデータに基づいて前記プログラム管理サーバにアクセスして前記プログラムを取得して記憶するプログラム取得手段と、この記憶したプログラムを携帯端末に組み込むインストール手段と、を備えたことを特徴とする携帯端末。
【請求項１１】
所定のプログラムがインストールされる携帯端末であって、
前記プログラムを特定する識別情報が記憶され当該識別情報を近距離無線通信にて送信可能な送信手段から送信された前記識別情報を受信する識別情報受信手段と、予め記憶されたアドレス管理サーバのアドレスに基づいて当該アドレス管理サーバにアクセスして前記取得した識別情報を送信し当該アドレス管理サーバに記憶された前記識別情報に対応する前記プログラムを記憶したプログラム管理サーバへのアドレスデータに基づく接続要求を行う接続要求手段と、この要求に応じて前記アドレス管理サーバを介して接続された前記プログラム管理サーバから前記プログラムを取得して記憶するプログラム取得手段と、この記憶したプログラムを携帯端末に組み込むインストール手段と、を備えたことを特徴とする携帯端末。
【請求項１２】
携帯端末に、
所定のプログラムを特定する識別情報が記憶され当該識別情報を近距離無線通信にて送信可能な送信手段から送信された前記識別情報を受信する識別情報受信手段と、予め記憶されたアドレス管理サーバのアドレスに基づいて当該アドレス管理サーバにアクセスして前記取得した識別情報を送信し当該アドレス管理サーバに記憶された前記識別情報に対応する前記プログラムを記憶したプログラム管理サーバへのアドレスデータを取得するアドレスデータ取得手段と、この取得したアドレスデータに基づいて前記プログラム管理サーバにアクセスして前記プログラムを取得して記憶するプログラム取得手段と、この記憶したプログラムを携帯端末に組み込むインストール手段と、
を実現するためのプログラム。
【請求項１３】
携帯端末に、
所定のプログラムを特定する識別情報が記憶され当該識別情報を近距離無線通信にて送信可能な送信手段から送信された前記識別情報を受信する識別情報受信手段と、予め記憶されたアドレス管理サーバのアドレスに基づいて当該アドレス管理サーバにアクセスして前記取得した識別情報を送信し当該アドレス管理サーバに記憶された前記識別情報に対応する前記プログラムを記憶したプログラム管理サーバへのアドレスデータに基づく接続要求を行う接続要求手段と、この要求に応じて前記アドレス管理サーバを介して接続された前記プログラム管理サーバから前記プログラムを取得して記憶するプログラム取得手段と、この記憶したプログラムを携帯端末に組み込むインストール手段と、
を実現するためのプログラム。
【請求項１４】
所定のプログラムを特定する識別情報が記憶され当該識別情報を近距離無線通信にて送信可能な送信手段と、この送信手段から送信された前記識別情報を受信する携帯端末と、前記識別情報に対応する前記プログラムを記憶したプログラム管理サーバへのアドレスデータを記憶したアドレス管理サーバと、を備え、前記携帯端末に前記プログラムをインストールする方法であって、
前記携帯端末が、前記送信手段から送信された前記識別情報を受信し、予め記憶された前記アドレス管理サーバのアドレスに基づいて当該アドレス管理サーバにアクセスして前記取得した識別情報を送信し、
前記アドレス管理サーバが、前記携帯端末から送信された前記識別情報に対応する前記プログラム管理サーバへのアドレスデータを前記携帯端末に返送し、
前記携帯電話が、前記アドレス管理サーバから返送された前記アドレスデータを取得し、当該アドレスデータに基づいて前記プログラム管理サーバにアクセスして前記プログラムを取得して記憶し、この記憶したプログラムを携帯端末に組み込む、
ことを特徴とするプログラムインストール方法。
【請求項１５】
所定のプログラムを特定する識別情報が記憶され当該識別情報を近距離無線通信にて送信可能な送信手段と、この送信手段から送信された前記識別情報を受信する携帯端末と、前記識別情報に対応する前記プログラムを記憶したプログラム管理サーバへのアドレスデータを記憶したアドレス管理サーバと、を備え、前記携帯端末に前記プログラムをインストールする方法であって、
前記携帯端末が、前記送信手段から送信された前記識別情報を受信し、予め記憶されたアドレス管理サーバのアドレスに基づいて当該アドレス管理サーバにアクセスして前記取得した識別情報を送信し、当該アドレス管理サーバに記憶された前記識別情報に対応する前記プログラムを記憶したプログラム管理サーバへのアドレスデータに基づく接続要求を行い、
前記アドレス管理サーバが、前記携帯端末から送信された前記識別情報に対応する前記プログラム管理サーバへのアドレスデータに基づいて当該アクセスしてきた携帯端末と前記プログラム管理サーバとを接続し、
前記携帯端末が、前記アドレス管理サーバを介して接続された前記プログラム管理サーバから前記プログラムを取得して記憶し、この記憶したプログラムを携帯端末に組み込む、
ことを特徴とするプログラムインストール方法。
【発明の詳細な説明】
【技術分野】
【０００１】
本発明は、プログラムインストールシステムにかかり、特に、携帯型情報処理端末に所定のプログラムをインストールするシステムに関する。また、その方法及びプログラムに関する。
【背景技術】
【０００２】
従来において、携帯電話などの携帯端末に所定のプログラムをインストールするシステムは、携帯端末と、プログラムを蓄積するプログラムインストールサーバと、を備えている。そして、携帯端末は、広域通信装置と、ＣＰＵに構築されたプログラムインストール部及びプログラム実行部と、を備えている。かかる構成のプログラムインストールシステムは、以下のように作動する。
【０００３】
まず、ユーザは、携帯電話に所定のプログラムをインストールすることを希望すると、操作部にて操作することにより、プログラムインストールサーバにアクセスするためのアドレスであるＵＲＬなどの情報を入力し、プログラムインストール部にプログラムのインストール指示を行う。すると、プログラムインストール部は、入力されたＵＲＬなどの情報に基づいて、広域通信装置を用い、プログラムインストールサーバにアクセスする。そして、プログラムインストール部は、プリグラムインストールサーバから対応するプログラムを取得し、携帯電話の記憶部に格納する。その後、取得したプログラムのインストールを実行する。
【０００４】
その後、ユーザは、インストールしたプログラムの機能が必要になったときに、自らプログラムを実行するようプログラム実行部に指示し、インストールされたプログラムを実行する。これにより、携帯電話にて、所定のプログラムによる機能を実現することができる。
【０００５】
ここで、例えば、上記インストールするプログラムの一例として、ファミリーレストランにおいて、ユーザの携帯端末を注文用の端末として使用することを可能とする、「お客様注文端末プログラム」がある。この場合には、携帯端末にプログラムをインストールして実行することで、ユーザは、自己の携帯端末を用いて注文を行うことができる。
【０００６】
しかし、上記従来例によると、ユーザは、所定のプログラムをインストールするためのプログラムインストールサーバにアクセスするために特定するためのＵＲＬなどの情報を指定しなければならず、かかる指定（入力）の手間や煩わしさが生じる、という問題が生じうる。さらに、インストール作業自体もユーザ自ら行わなければならない、という問題も生じうる。
【０００７】
これに対して、下記の特許文献１に開示されたシステムでは、所定のアクセス先を表すデータを所定のＩＣタグから取得し、これに基づいて端末にてアクセスする、という技術が開示されている。かかる技術を用いることで、ユーザによるアクセス先のアドレスの入力の手間を抑制することが可能となる。
【０００８】
【特許文献１】特開２００１−２７３２２６号公報
【発明の開示】
【発明が解決しようとする課題】
【０００９】
しかしながら、上記従来例においては、アクセス先のアドレス情報をＩＣタグから取得するものの、当該アクセス先のアドレスが変更となった場合には、正常にアクセスできないなどの不都合が生じうる。逆に、正常なアクセスを実現するためには、ＩＣタグを全て変更しなければならず、設備コストが増加する、という問題が生じうる。
【００１０】
このため、本発明では、上記従来例の有する不都合を改善し、特に、ユーザが容易かつ確実にプログラムを取得でき、かつ、インストールすることが可能なシステムを提供することをその目的とする。
【課題を解決するための手段】
【００１１】
そこで、本発明の一形態であるプログラムインストールシステムは、
携帯端末に所定のプログラムをインストールするシステムであって、
所定のプログラムを特定する識別情報が記憶された識別情報保持手段と、この識別情報保持手段から識別情報を取得する携帯端末と、識別情報に対応するプログラムを記憶したプログラム管理サーバへのアドレスデータを記憶したアドレス管理サーバと、を備え、
携帯端末が、アドレス管理サーバにアクセスして識別情報保持手段から取得した識別情報を送信すると共に、当該アドレス管理サーバを介して識別情報に対応するプログラムを記憶したプログラム管理サーバにアクセスし、当該プログラム管理サーバからプログラムを取得して、当該プログラムを自己の携帯端末にインストールする機能を有する、
ことを特徴としている。
【００１２】
また、上記構成において、識別情報保持手段は、識別情報を近距離無線通にて送信可能なＩＣタグなどの送信手段であり、
アドレス管理サーバが、携帯端末から送信された識別情報に対応するプログラム管理サーバへのアドレスデータを携帯端末に返送するアドレスデータ送信手段を備えると共に、
携帯端末が、送信手段から送信された識別情報を受信する識別情報取得手段と、予め記憶されたアドレス管理サーバのアドレスに基づいて当該アドレス管理サーバにアクセスして取得した識別情報を送信し当該識別情報に対応するプログラムを記憶したプログラム管理サーバへのアドレスデータを取得するアドレスデータ取得手段と、この取得したアドレスデータに基づいてプログラム管理サーバにアクセスしてプログラムを取得して記憶するプログラム取得手段と、この記憶したプログラムを携帯端末に組み込むインストール手段と、を備えたことを特徴としている。
【００１３】
また、上記構成において、識別情報保持手段は、識別情報を近距離無線通にて送信可能なＩＣタグなどの送信手段であり、
アドレス管理サーバが、携帯端末から送信された識別情報に対応するプログラム管理サーバへのアドレスデータに基づいて当該アクセスしてきた携帯端末とプログラム管理サーバとを接続する接続手段を備えると共に、
携帯端末が、送信手段から送信された識別情報を受信する識別情報取得手段と、予め記憶されたアドレス管理サーバのアドレスに基づいて当該アドレス管理サーバにアクセスして取得した識別情報に対応するプログラムを記憶したプログラム管理サーバへのアドレスデータに基づく接続要求を行う接続要求手段と、この要求に応じてアドレス管理サーバを介して接続されたプログラム管理サーバからプログラムを取得して記憶するプログラム取得手段と、この記憶したプログラムを携帯端末に組み込むインストール手段と、を備えたことを特徴としている。
【００１４】
上記発明によると、まず、携帯端末は、所定箇所に装備された送信手段から識別情報を近距離無線通信にて取得する。続いて、携帯端末は、アドレス管理サーバにアクセスして識別情報を送信し、この識別情報に対応するプログラムが記憶されたプログラム管理サーバへの接続を要求する。これに応じて、アドレス管理サーバは、アドレス管理サーバへのアドレスデータを携帯端末に通知して、これを受けた携帯端末はアドレスデータに基づいてプログラム管理サーバに接続する。あるいは、アドレス管理サーバは、プログラム管理サーバへのアドレスデータに基づいて携帯端末をプログラム管理サーバに接続させる。その後、携帯端末は、接続したプログラム管理サーバからプログラムを取得して、これを、自己の携帯端末にインストールする。従って、携帯端末のユーザは、送信手段が設置された場所において携帯端末に必要なプログラムを用意に取得することができるため、利便性の向上を図ることができる。また、プログラムの変更やプログラム管理サーバに変更があったとしても、アドレス管理サーバに識別情報に関連付けて記憶されているアドレスデータの登録を変更すればよいため、全ての送信手段に記憶された識別情報を変更する必要は無く、容易に対応することができる。
【００１５】
また、携帯端末は、アドレス管理サーバ及びプログラム管理サーバに、広域無線通信を用いて接続する、ことを特徴としている。あるいは、携帯端末は、少なくともアドレス管理サーバに、近距離無線通信を用いてアクセスする、ことを特徴としている。
【００１６】
これにより、携帯端末にて識別情報を取得したときに、携帯電話などの無線通信を用いて迅速にプログラムを取得することができる。あるいは、近距離無線通信を用いる場合には、アドレス管理サーバの設置場所に携帯端末のユーザを誘導することができ、集客効果の向上を図ることができる。
【００１７】
また、携帯端末が、他の携帯端末からの要求に応じて識別情報を送信する識別情報送信手段を備えた、ことを特徴としている。あるいは、携帯端末が、他の携帯端末からの要求に応じてプログラムを送信するプログラム送信手段を備えた、ことを特徴としている。このとき、携帯端末が、近距離無線通信を用いて他の携帯端末と通信を行う、ことを特徴としている。
【００１８】
これにより、ユーザ同士で識別情報あるいはプログラム自体の通信を行って、所定のプログラムに関する情報を容易に享有することができ、利便性の向上を図ることができる。
【００１９】
また、本発明の他の形態である携帯電話は、
所定のプログラムがインストールされる携帯端末であって、
プログラムを特定する識別情報が記憶され当該識別情報を近距離無線通信にて送信可能な送信手段から送信された識別情報を受信する識別情報受信手段と、予め記憶されたアドレス管理サーバのアドレスに基づいて当該アドレス管理サーバにアクセスして取得した識別情報を送信し当該アドレス管理サーバに記憶された識別情報に対応するプログラムを記憶したプログラム管理サーバへのアドレスデータを取得するアドレスデータ取得手段と、この取得したアドレスデータに基づいてプログラム管理サーバにアクセスしてプログラムを取得して記憶するプログラム取得手段と、この記憶したプログラムを携帯端末に組み込むインストール手段と、を備えたことを特徴としている。
【００２０】
また、携帯端末の他の形態は、
所定のプログラムがインストールされる携帯端末であって、
プログラムを特定する識別情報が記憶され当該識別情報を近距離無線通信にて送信可能な送信手段から送信された識別情報を受信する識別情報受信手段と、予め記憶されたアドレス管理サーバのアドレスに基づいて当該アドレス管理サーバにアクセスして取得した識別情報を送信し当該アドレス管理サーバに記憶された識別情報に対応するプログラムを記憶したプログラム管理サーバへのアドレスデータに基づく接続要求を行う接続要求手段と、この要求に応じてアドレス管理サーバを介して接続されたプログラム管理サーバからプログラムを取得して記憶するプログラム取得手段と、この記憶したプログラムを携帯端末に組み込むインストール手段と、を備えたことを特徴としている。
【００２１】
また、本発明の他の形態は、携帯端末に上述した各手段を実現するためのプログラムでもある。
【００２２】
さらに、本発明の他の形態であるプログラムインストール方法は、
所定のプログラムを特定する識別情報が記憶され当該識別情報を近距離無線通信にて送信可能な送信手段と、この送信手段から送信された識別情報を受信する携帯端末と、識別情報に対応するプログラムを記憶したプログラム管理サーバへのアドレスデータを記憶したアドレス管理サーバと、を備え、携帯端末にプログラムをインストールする方法であって、
携帯端末が、送信手段から送信された識別情報を受信し、予め記憶されたアドレス管理サーバのアドレスに基づいて当該アドレス管理サーバにアクセスして取得した識別情報を送信し、
アドレス管理サーバが、携帯端末から送信された識別情報に対応するプログラム管理サーバへのアドレスデータを携帯端末に返送し、
携帯電話が、アドレス管理サーバから返送されたアドレスデータを取得し、当該アドレスデータに基づいてプログラム管理サーバにアクセスしてプログラムを取得して記憶し、この記憶したプログラムを携帯端末に組み込む、
ことを特徴としている。
【００２３】
また、プログラムインストール方法の他の形態は、
所定のプログラムを特定する識別情報が記憶され当該識別情報を近距離無線通信にて送信可能な送信手段と、この送信手段から送信された識別情報を受信する携帯端末と、識別情報に対応するプログラムを記憶したプログラム管理サーバへのアドレスデータを記憶したアドレス管理サーバと、を備え、携帯端末にプログラムをインストールする方法であって、
携帯端末が、送信手段から送信された識別情報を受信し、予め記憶されたアドレス管理サーバのアドレスに基づいて当該アドレス管理サーバにアクセスして取得した識別情報を送信し、当該アドレス管理サーバに記憶された識別情報に対応するプログラムを記憶したプログラム管理サーバへのアドレスデータに基づく接続要求を行い、
アドレス管理サーバが、携帯端末から送信された識別情報に対応するプログラム管理サーバへのアドレスデータに基づいて当該アクセスしてきた携帯端末とプログラム管理サーバとを接続し、
携帯端末が、アドレス管理サーバを介して接続されたプログラム管理サーバからプログラムを取得して記憶し、この記憶したプログラムを携帯端末に組み込む、
ことを特徴としている。
【００２４】
上記構成の携帯端末、プログラム、方法であっても、上述したプログラムインストールシステムと同様に作用するため、上記本発明の目的を達成することができる。
【発明の効果】
【００２５】
本発明は以上のように構成され機能するので、これによると、携帯端末のユーザは、送信手段が設置された場所において携帯端末に必要なプログラムを用意に取得することができるため、利便性の向上を図ることができ、さらに、プログラムの変更やプログラム管理サーバに変更があったとしても、アドレス管理サーバに識別情報に関連付けて記憶されているアドレスデータの登録を変更すればよいため、全ての送信手段に記憶された識別情報を変更する必要は無く、容易に対応することができる、という従来にない優れた効果を有する。
【発明を実施するための最良の形態】
【００２６】
本発明は、まず、携帯端末にインストールするプログラムを特定する識別情報を、所定場所に設置された送信手段から取得し、この識別情報に基づいてプログラムが記憶されたサーバに接続して、当該プログラムを取得する、ことを特徴としている。以下、具体的な構成を、実施例を参照して説明する。
【実施例１】
【００２７】
本発明の第１の実施例を、図１乃至図４を参照して説明する。図１は、システム全体の構成を示す概略図である。図２は携帯電話の構成を示す機能ブロック図であり、図３はアドレス管理サーバの構成を示す機能ブロック図である。図４は、システム全体の動作を示すシーケンス図である。
【００２８】
なお、本実施例では、ファミリーレストランＦにおいて、ユーザが所有する携帯電話２に、当該携帯電話２を注文端末と利用可能となるプログラムを組み込むことを例に挙げて説明する。但し、本発明は、携帯電話２に、上記場所において上記プログラムを組み込むことに限定されない。また、所定のプログラムをインストールするユーザの端末は、携帯電話２に限定されず、ＰＤＡなどの他の情報処理端末であってもよい。
【００２９】
［構成］
図１に示すように、プログラムインストールシステムは、ファミリーレストランＦのテーブルＴに備え付けられたＩＣタグ１（送信手段）と、ユーザが所有する携帯電話２（携帯端末）と、この携帯電話２にネットワークＮを介して接続されたアドレス管理サーバ３及びプログラム管理サーバ４と、を備えている。以下、各構成について詳述する。
【００３０】
＜ＩＣタグ＞
ＩＣタグ１は、所定のプログラムに固有のＩＤ（識別情報）が記憶されており、当該ＩＤを近距離無線通信にて送信可能なよう構成されている。例えば、ＲＦＩＤタグにより構成されており、タグリーダから発せられる電波に応答して、ＩＤを送信するよう作動する。但し、ＩＣタグ１は、ＲＦＩＤタグであることに限定されず、赤外線通信やＢｌｕｅｔｏｏｔｈなどの他の近距離無線通信によって読み取られる非接触ＩＣタグにて構成されていてもよい。
【００３１】
そして、このＩＣタグ１に記憶されているＩＤは、ファミリーレストランＦにて携帯電話２を注文端末と利用可能とするプログラムを特定する情報である。そして、このプログラムは、プログラム管理サーバ４に蓄積されており、当該プログラム管理サーバ４へのＵＲＬなどのアドレスデータが、ＩＤと関連付けられてアドレス管理サーバ３に記憶されている。
【００３２】
なお、ＩＣタグ１は、ファミリーレストランＦ内の全てのテーブルＴに備え付けられている。但し、必ずしもテーブルＴに備え付けられていることに限定されず、ファミリーレストランＦ内の所定場所にのみ備え付けられていてもよい。
【００３３】
＜プログラム管理サーバ＞
プログラム管理サーバ４は、ネットワークＮに接続された一般的なサーバコンピュータにて構成されており、その記憶装置には、上述したように、ＩＣタグ１に記憶されたＩＤにて特定されるプログラム、つまり、本実施例では、携帯電話２を注文端末として利用するためのプログラムが蓄積されている。そして、プログラム管理サーバ４のＣＰＵなどの演算装置には、携帯電話２からの要求により、蓄積しているプログラムを送信する処理部が構築されている。
【００３４】
＜アドレス管理サーバ＞
アドレス管理サーバ３は、ネットワークＮに接続された一般的なサーバコンピュータでにて構成されている。その構成を図３を参照して説明する。
【００３５】
まず、ハードディスクなどの記憶装置３Ｂには、上述したように、ＩＣタグ１に記憶されたＩＤと、このＩＤにて特定されるプログラムが記憶された上記プログラム管理サーバ４へのＵＲＬと、が関連付けられたＩＤ−ＵＲＬテーブルを記憶するＩＤ−ＵＲＬテーブル記憶部３４が形成されている。この記憶されているＩＤ−ＵＲＬテーブルは、例えば、注文端末用プログラムを提供する業者や、アドレス管理サーバ３を管理する業者によって登録されるデータである。
【００３６】
また、ＣＰＵなどの演算装置３Ａには、あるプログラムが組み込まれることにより、受付処理部３１と、ＵＲＬ検索処理部３２と、通知処理部３３と、が構築されている。受付処理部３１は、携帯電話２からのアクセスを受け付けると共に、当該携帯電話２から送信されるＩＣタグ１から取得したＩＤを受信して、ＵＲＬ検索処理部３２に通知する。そして、ＵＲＬ検索処理部３２は、携帯電話２から受信したＩＤに対応するＵＲＬを、ＩＤ−ＵＲＬテーブルから検索して抽出し、通知処理部３３に通知する。通知処理部３３は、抽出されたＵＲＬを、アクセスしてきた携帯電話２に送信する。このように、上記各処理部３１，３２，３３（アドレスデータ送信手段）によって、ＩＤに対応するＵＲＬであるプログラム管理サーバ４へのアドレスが携帯電話２に通知される。
【００３７】
＜携帯電話＞
携帯電話２は、ＣＰＵなどの演算装置２Ａと、メモリなどの記憶装置２Ｂと、広域無線通信を実現する通信部２Ｄと、を備えた一般的な携帯電話に、さらに、ＩＣタグ１から近距離無線通信にて情報を読み取り可能なタグリーダ２Ｃを備えている。
【００３８】
そして、演算装置２Ａには、あるプログラムが組み込まれることにより、ＩＤ取得処理部２１と、ＵＲＬ取得処理部２２と、プログラム取得処理部２３と、インストール処理部２４と、が構築されている。また、記憶装置２Ｂには、サーバアドレス記憶部２５と、ＩＤ一時記憶部２６と、ＵＲＬ一時記憶部２７と、プログラム一時記憶部２８と、が形成されている。以下、各処理部２１〜２４及び各記憶部２５〜２８について詳述する。
【００３９】
ＩＤ取得処理部２１（識別情報取得手段）は、タグリーダ２Ｃを介して、ＩＣタグ１から送信されるＩＤを受信して、当該ＩＤをＩＤ一時記憶部２６に記憶する。また、ＩＤを受信した旨をＵＲＬ取得処理部２２に通知する。
【００４０】
ＵＲＬ取得処理部２２（アドレスデータ取得手段）は、予めサーバアドレス記憶部２５に記憶されたアドレス管理サーバ３へのアドレスを読み出して、広域無線通信手段である通信部２Ｄを介して、当該アドレスに基づいてアドレス管理サーバ３にアクセスする。このとき、ＩＤ一時記憶部２６に記憶されているＩＣタグ１から取得したＩＤを読み出して、アドレス管理サーバ３に送信する。そして、送信したＩＤに対応するプログラムを記憶したプログラム管理サーバ４へのアドレスデータを、アドレス管理サーバ３に要求する。さらに、この要求に応じてアドレス管理サーバ３から送信されるＵＲＬを受信し、ＵＲＬ一時記憶部２７に記憶する。その後、ＵＲＬを取得した旨をプログラム取得処理部２３に通知する。
【００４１】
プログラム取得処理部２３（プログラム取得手段）は、ＵＲＬ一時記憶部２７に記憶されているＵＲＬを読み出して、通信部２Ｄを介して、読み出したＵＲＬをアクセス先のアドレスデータとするプログラム管理サーバ４にアクセスし、プログラムの取得を要求する。そして、この要求に応じてプログラム管理サーバ４から送信されたプログラムを受信して、プログラム一時記憶部２８に記憶し、その旨をインストール処理部２４に通知する。
【００４２】
インストール処理部２４（インストール手段）は、プログラム一時記憶部２８に記憶されたプログラムを読み出して、自己の携帯電話２のＣＰＵに組み込む。これにより、当該プログラムによる機能、すなわち、携帯電話２を注文端末として作動させるための処理部が、ＣＰＵに構築される。そして、インストールされた後に、かかる機能を実行させることで、携帯電話２は注文端末として作動することとなる。
【００４３】
［動作］
次に、本実施例におけるプログラムインストールシステムの動作を、図４のシーケンス図を参照して説明する。
【００４４】
まず、ユーザがファミリーレストランＦに行き、自己の携帯電話２をファミリーレストランＦでのメニューの注文端末として利用することを希望する場合には、携帯電話２のタグリーダ２Ｃにて、テーブルＴに据え付けてあるＩＣタグ１に対してＩＤの送信要求を行う（ステップＳ１）。すると、かかる送信要求に応じて、ＩＣタグ１から記憶されているＩＤが外部に近距離無線通信にて発信され（ステップＳ２）、これを携帯電話２が受信し、当該ＩＤを取得する（ステップＳ３）。
【００４５】
続いて、携帯電話２は、予め記憶されているアドレス管理サーバ３のアドレスに基づいて、当該アドレス管理サーバ３に通信部２Ｄを介して接続する。このとき、上記ＩＣタグ１から取得したＩＤを送信し、当該ＩＤに対応するプログラムを取得可能なプログラム管理サーバ４へのＵＲＬの取得を要求する（ステップＳ４）。
【００４６】
すると、ＩＤを受けたアドレス管理サーバ３は、当該ＩＤに対応するＵＲＬを、ＩＤ−ＵＲＬテーブルから検索し（ステップＳ５）、検索されたＵＲＬを携帯電話２に通知する（ステップＳ６）。そして、携帯電話２は、ＵＲＬを取得することができる（ステップＳ７）。
【００４７】
続いて、取得したＵＲＬに、通信部２Ｄを介して接続すると共に、接続先であるプログラム管理サーバ４にプログラムの要求を行う（ステップＳ８）。なお、実際には、ＵＲＬに基づいてプログラム管理サーバ４にアクセスすることのみで、プログラムを要求したこととなる。
【００４８】
すると、プログラムを要求されたプログラム管理サーバ４は、記憶しているプログラムを携帯電話２に送信する（ステップＳ９）。そして、携帯電話２は、送信されたプログラムを取得して、携帯電話２内に記憶しておく（ステップＳ１０）。
【００４９】
その後、携帯電話２は、記憶したプログラムのインストール処理を行う（ステップＳ１１）。これにより、ユーザの操作によりインストールされたプログラムの実行指令がなされると、当該プログラムが実行され（ステップＳ１２）、携帯電話２を注文端末として利用可能となる。
【００５０】
このようにすることにより、ユーザは携帯電話２をファミリーレストランＦにおいて注文端末として利用することができるため、店員を呼ぶことなく注文することができ、状況に合ったサービスを享受することができる。また、仮に、注文端末用プログラム自体や格納場所（プログラム管理サーバ自体など）の変更があった場合であっても、テーブルＴに備え付けてあるＩＣタグ１そのものは変更せず、アドレス管理サーバ３に記憶されているＩＤ−ＵＲＬテーブルを変更登録することのみで、プログラムの変更などに容易に対応することができ、低コストにて確実なサービスの提供を継続することができる。
【００５１】
ここで、上述したＩＣタグ１から発信されるＩＤは、画像やＱＲコードからなる情報であってもよく、これに伴い、かかるＱＲコード等からなるＩＤは、ＩＣタグ１ではなく、紙媒体などに印刷された情報（識別情報保持手段）であってもよい。そして、これらＩＤは、携帯電話２に備え付けられたカメラなどで撮影するにより、当該携帯電話２にて取得されてもよい。
【実施例２】
【００５２】
次に、本発明の第２の実施例を説明する。上記実施例１では、携帯電話２に組み込まれるプログラムが、携帯電話２を注文端末として利用するためプログラムである場合を例示したが、実施例２では、携帯電話２に所定の店舗の広告やポイントカードなど販売促進機能を組み込むことを例に挙げて説明する。
【００５３】
［構成］
まず、本実施例におけるＩＣカード１は、店舗が配布するチラシ、例えば、化粧品広告の紙、に付されたＲＦＩＤタグである。そして、このＩＣカード１は、販売促進機能用プログラムを特定するＩＤが記憶されており、携帯電話２からの送信要求に応じて近距離無線通信にて送信される。
【００５４】
また、本実施例におけるプログラムは、携帯電話２に、上記所定の店舗の商品、例えば、化粧品に関する情報表示を行う機能や、商品検索機能及び検索に必要な商品データ、さらには、ポイントカード機能、クーポンカード機能、会員証機能などを実現するためのプログラム及びそれに必要なデータを含んでいる。そして、かかるプログラムは、上記同様にプログラム管理サーバ４に蓄積されている。
【００５５】
なお、このプログラムがダウンロード可能なアドレスデータとなるＵＲＬは、上記ＩＣカード１に記憶されたＩＤと関連付けられて、上述同様にアドレス管理サーバ３に記憶されている。
【００５６】
［動作］
上記構成において、ユーザは、街頭などでＩＣタグ１付きのビラをもらったときに、携帯電話２にてＩＣタグ１からＩＤを読み取り、これに対応するＵＲＬをアドレス管理サーバ３から取得する。そして、取得したＵＲＬにアクセスすることで、プログラム管理サーバ４からプログラムを取得することができる。その後、プログラムをインストールすることで、携帯電話２に商品情報を表示したり、当該携帯電話をポイントカードとして利用するなど、種々の機能を持たせることが可能となる。
【実施例３】
【００５７】
次に、本発明の第３の実施例を、図５乃至図７を参照して説明する。図５は、携帯電話の構成を示す機能ブロック図であり、図６は、アドレス管理サーバの構成を示す機能ブロック図である。図７は、システム全体の動作を示すシーケンス図である。
【００５８】
［構成］
本実施例におけるプログラムインストールシステムは、上記実施例１のものとほぼ同様の構成を採っている。異なる点は、携帯電話２がアドレス管理サーバ３を介して、ＩＤに対応するＵＲＬの接続先となるプログラム管理サーバ４にアクセス可能なよう構成されている点である。以下、主に、実施例１とは異なる構成についてのみ説明する。
【００５９】
まず、本実施例における携帯電話２には、ＵＲＬ取得処理部２２がなく、また、プログラム取得処理部２３の機能が異なる。つまり、本実施例におけるプログラム取得処理部２３は、接続要求手段として機能する点で異なる。具体的には、まず、サーバアドレス記憶部２５に記憶されたアドレスに基づいてアドレス管理サーバ３にアクセスして、当該アドレス管理サーバ３に、ＩＤ取得処理部２１にてＩＣタグ１から取得したＩＤを送信する。そして、これに伴い、当該ＩＤに対応するプログラムを記憶したプログラム管理サーバ４に対する接続要求を行う。すると、後述するように、携帯電話２は、アドレス管理サーバ３を介してプログラム管理サーバ４に接続されるが、当該プログラム管理サーバ４から送信されるプログラムを取得して、プログラム一時記憶部２８に記憶する。
【００６０】
また、本実施例におけるアドレス管理サーバ３には、通知処理部３３がなく、接続処理部３５が構築されている。この接続処理部３５（接続手段）は、上述したように携帯電話２からＩＤが送信されると、当該ＩＤに対応するプログラム管理サーバ４へのＵＲＬをＩＤ−ＵＲＬテーブルから検索し、当該検索されたＵＲＬの接続先となるプログラム管理サーバ４と、アクセスしてきている携帯電話２とを、接続するよう作動する。
【００６１】
［動作］
次に、本実施例におけるプログラムインストールシステムの動作を、図７のシーケンス図を参照して説明する。
【００６２】
まず、ユーザがファミリーレストランＦに行き、携帯電話２のタグリーダ２Ｃにて、テーブルＴに据え付けてあるＩＣタグ１に対してＩＤの送信要求を行う（ステップＳ２１）。すると、かかる送信要求に応じて、ＩＣタグ１から記憶されているＩＤが外部に近距離無線通信にて発信され（ステップＳ２２）、これを携帯電話２が受信し、当該ＩＤを取得する（ステップＳ２３）。
【００６３】
続いて、携帯電話２は、予め記憶されているアドレス管理サーバ３のアドレスに基づいて、当該アドレス管理サーバ３に通信部２Ｄを介して接続する。このとき、上記ＩＣタグ１から取得したＩＤを送信し、当該ＩＤに対応するプログラムを取得可能なプログラム管理サーバ４への接続を要求する（ステップＳ２４）。
【００６４】
すると、ＩＤを受けたアドレス管理サーバ３は、当該ＩＤに対応するＵＲＬを、ＩＤ−ＵＲＬテーブルから検索し（ステップＳ２５）、検索されたＵＲＬが接続先となるプログラム管理サーバ４と携帯電話２とを接続中継する（ステップＳ２６）。これにより、携帯電話２とプログラム管理サーバ４とが、広域無線通信にて接続された状態となる。
【００６５】
続いて、携帯電話２は、接続しているプログラム管理サーバ４にプログラムの要求を行う（ステップＳ２７）。プログラムを要求されたプログラム管理サーバ４は、記憶しているプログラムを携帯電話２に送信する（ステップＳ２８）。そして、携帯電話２は、送信されたプログラムを取得して、携帯電話２内に記憶しておく（ステップＳ２９）。
【００６６】
その後、携帯電話２は、記憶したプログラムのインストール処理を行う（ステップＳ３０）。これにより、ユーザの操作によりインストールされたプログラムの実行指令がなされると、当該プログラムが実行され（ステップＳ３１）、携帯電話２を注文端末として利用可能となる。
【００６７】
本実施例における構成であっても、ユーザは携帯電話２を状況に合った態様で利用可能とするプログラムを取得することができ、利便性の向上を図ることができる。また、仮に、注文端末用プログラム自体や格納場所（プログラム管理サーバ自体など）の変更があった場合であっても、テーブルＴに備え付けてあるＩＣタグ１そのものは変更せず、アドレス管理サーバ３に記憶されているＩＤ−ＵＲＬテーブルを変更登録することのみで、プログラムの変更などに容易に対応することができ、低コストにて確実なサービスの提供を継続することができる。
【実施例４】
【００６８】
次に、本発明の第４の実施例を、図８を参照して説明する。図８は、本実施例におけるシステム構成を示す概略図である。なお、以下では、上記実施例２にて説明したように、携帯電話２にて、街頭Ｇで受け取ったチラシＰに付されていたＩＣタグ１からＩＤを受信して、当該携帯電話２にチラシＰの内容に関する所定の機能を付加するプログラムをインストールする場合を例示して説明する。
【００６９】
本実施例では、基本的には、上述した実施例１に示す場合と構成は変わらないが、携帯電話２とアドレス管理サーバ３とが、赤外線通信やＢｌｕｅｔｏｏｔｈなどの近距離無線通信手段を用いて通信する点が相違する。すなわち、実施例１にて説明した携帯電話２に備えられているＵＲＬ取得処理部２２は、近距離無線通信手段を介してアドレス管理サーバ３にアクセスしてＩＤを送信し、当該アドレス管理サーバ３からＩＤに対応するプログラムを記憶するプログラム管理サーバ４へのＵＲＬを取得する。あるいは、実施例３に示すように、そのＵＲＬを有するプログラム管理サーバ４への接続を中継してもらう。その他の構成は、上記実施例に示すものと同様であるため、上述同様に作用する。
【００７０】
そして、本実施例において、アドレス管理サーバ３を、例えば、駅や大型ショッピングモールなどの施設Ｈに設置することにより、ユーザは、施設Ｈにアドレス管理サーバ３と近距離無線通信を行ってＵＲＬを取得しに来る（図８の点線矢印参照）。従って、施設Ｈに来場するユーザが増え、集客効果の向上を図ることができる。
【実施例５】
【００７１】
次に、本発明の第５の実施例を、図９乃至図１０を参照して説明する。図９は、本実施例におけるシステム構成を示す概略図であり、図１０は、システム全体の動作を示すシーケンス図である。
［構成］
本実施例におけるプログラムインストールシステムでは、上述した構成に加え、携帯電話２が、他の携帯電話２０からの要求に応じて当該他の携帯電話２にＩＤを送信する機能（識別情報送信手段）を備えている。また、他の携帯電話２０は、上記携帯電話２とほぼ同様の機能を備えている。
【００７２】
つまり、他の携帯電話２０のＩＤ取得処理部２１は、赤外線通信などの近距離無線通信手段を用いて、近くに存在する携帯電話２に対して、ＩＤを要求する。これに応じて、携帯電話２は、以前にＩＣタグ１から取得したＩＤをＩＤ一時記憶部２６から読み出して、赤外線通信などの近距離無線通信にて他の携帯電話２に送信する。そして、取得ＩＤの利用方法は、上述した通りである。
【００７３】
［動作］
次に、本実施例におけるプログラムインストールシステムの動作を、図１０のシーケンス図を参照して説明する。なお、携帯電話２は、既にＩＣタグ１からＩＤを取得しているものとする。
【００７４】
まず、携帯電話２のユーザから所定のプログラムを組み込んだときの評判を、他の携帯電話２０のユーザが聞いて、当該他のユーザもプログラムを希望したとする。すると、他の携帯電話２０は、携帯電話２にＩＤを送信するよう赤外線通信などにより要求する。（ステップＳ４１）。すると、かかる送信要求に応じて、携帯電話２から記憶されているＩＤが近距離無線通信にて発信され（ステップＳ４２）、これを他の携帯電話２０が受信し、当該ＩＤを取得する（ステップＳ４３）。なお、その後の他の携帯電話２０の動作は、実施例１にて説明した携帯電話２の動作を同様である（ステップＳ４４〜ステップＳ５２）。
【００７５】
このように、ユーザ同士でＩＤの通信を行うことで、所定のプログラムに関する情報を容易に享有することができ、利便性の向上を図ることができる。
【００７６】
なお、本実施例では、携帯電話２が既にＩＣタグ１から取得したＩＤを、他の携帯電話２０が取得するよう構成されているが、既に携帯電話２がプログラムを取得している場合には、他の携帯電話２は、当該プログラムを近距離無線通信などにより送信するよう要求してもよい。このようにすることで、他の携帯電話２０は、近距離無線通信にてプログラムを取得でき、プログラムをダウンロードする際の通信コストを削減を図ることができる。
【産業上の利用可能性】
【００７７】
本発明は、携帯電話に所定の機能をインストールするシステムとして利用することができ、産業上の利用可能性を有する。
【図面の簡単な説明】
【００７８】
【図１】実施例１における全体の構成を示す概略図である。
【図２】実施例１における携帯電話の構成を示す機能ブロック図である。
【図３】実施例１におけるアドレス管理サーバの構成を示す機能ブロック図である。
【図４】実施例１における全体の動作を示すシーケンス図である。
【図５】実施例３における携帯電話の構成を示す機能ブロック図である。
【図６】実施例３におけるアドレス管理サーバの構成を示す機能ブロック図である。
【図７】実施例３における全体の動作を示すシーケンス図である。
【図８】実施例４における全体の構成を示す概略図である。
【図９】実施例５における全体の構成を示す概略図である。
【図１０】実施例５における全体の動作を示すシーケンス図である。
【符号の説明】
【００７９】
１  ＩＣタグ（送信手段、識別情報保持手段）
２  携帯電話（携帯端末）
３  アドレス管理サーバ
４  プログラム管理サーバ
２１  ＩＤ取得処理部（識別情報取得手段）
２２  ＵＬＲ取得処理部（アドレスデータ取得手段）
２３  プログラム取得処理部（プログラム取得手段）
２４  インストール処理部（インストール手段）
２５  サーバアドレス記憶部
２６  ＩＤ一時記憶部
２７  ＵＲＬ一時記憶部
２８  プログラム一時記憶部
３１  受付処理部
３２  ＵＲＬ検索処理部
３３  通知処理部（アドレスデータ送信手段）
３４  ＩＤ−ＵＲＬテーブル記憶部
３５  接続処理部（接続手段）
２Ｃ  タグリーダ
２Ｄ  通信部
【図１】
2006243961.tif 000003
【図２】
2006243961.tif 000004
【図３】
2006243961.tif 000005
【図４】
2006243961.tif 000006
【図５】
2006243961.tif 000007
【図６】
2006243961.tif 000008
【図７】
2006243961.tif 000009
【図８】
2006243961.tif 000010
【図９】
2006243961.tif 000011
【図１０】
2006243961.tif 000012